(57)【要約】【課題】  被挟持物を確実に挟持可能にすること。【解決手段】  相対する第１支持片１１と第２支持片１２を連絡部１３の両端から同方向に延出し、第１支持片１１の先端側に備えた第１挟持部２１と第２支持片１２の先端側に備えた第２挟持部２２の間に被挟持物３を差し込んで挟持可能にするクリップ１０であって、第１挟持部２１と第２挟持部２２の少なくとも一方の少なくとも一部を、当該挟持部を備える支持片の構成材料より摩擦係数の高い材料にて構成したもの。【選択図】  図３
2005188697.tif 000002
【特許請求の範囲】
【請求項１】
相対する第１支持片と第２支持片を連絡部の両端から同方向に延出し、第１支持片の先端側に備えた第１挟持部と第２支持片の先端側に備えた第２挟持部の間に被挟持物を差し込んで挟持可能にするクリップであって、
第１挟持部と第２挟持部の少なくとも一方の少なくとも一部を、当該挟持部を備える支持片の構成材料より摩擦係数の高い材料にて構成したクリップ。
【請求項２】
前記摩擦係数の高い材料をゴム系材料とする請求項１に記載のクリップ。
【請求項３】
前記第１支持片と第２支持片における、第１挟持部と第２挟持部よりも下端側の部分を、互いに拡開する差し込み用下ガイド部とする請求項１又は２に記載のクリップ。
【請求項４】
前記第１支持片と第２支持片における、第１挟持部と第２挟持部の側部を、互いに拡開する差し込み用横ガイド部とする請求項１〜３のいずれかに記載のクリップ。
【発明の詳細な説明】
【技術分野】
【０００１】
本発明は、袋の開口シート、書類シート等を挟持するクリップに関する。
【背景技術】
【０００２】
クリップとして、特許文献１に記載の如く、相対する第１支持片と第２支持片を連絡部の両端から下向きに延出し、第１支持片の先端側に備えた第１挟持部と第２支持片の先端側に備えた第２挟持部の間に被挟持物を差し込んで挟持可能にするものがある。
【特許文献１】特開2002-127653
【発明の開示】
【発明が解決しようとする課題】
【０００３】
特許文献１のクリップでは、袋の開口シート、書類シート等の被挟持物の厚みが薄かったり、被挟持物が低摩擦係数の滑り易いプラスチックシート等からなる場合に、一旦挟持した被挟持物から抜け落ち易い。
【０００４】
特許文献１のクリップでは、第１挟持部と第２挟持部を互いに凹凸嵌合させたり、互いに密着させて挟持力の向上を図っているが、尚十分でない。
【０００５】
本発明の課題は、被挟持物を確実に挟持可能にすることにある。
【課題を解決するための手段】
【０００６】
請求項１の発明は、相対する第１支持片と第２支持片を連絡部の両端から同方向に延出し、第１支持片の先端側に備えた第１挟持部と第２支持片の先端側に備えた第２挟持部の間に被挟持物を差し込んで挟持可能にするクリップであって、第１挟持部と第２挟持部の少なくとも一方の少なくとも一部を、当該挟持部を備える支持片の構成材料より摩擦係数の高い材料にて構成したものである。
【発明を実施するための最良の形態】
【０００７】
図１は、ガセット袋等の袋１の開口部を形成している、プラスチックシート製（紙製でも可）開口シート２の折り畳み封止部たる被挟持物３を、クリップ１０により挟持したものである。クリップ１０は、図２に示す如く、相対する第１支持片１１と第２支持片１２を連絡部１３の両端から例えば下向きの同方向（上向き、横向き等でも可）に延出し、第１支持片１１の先端側に備えた第１挟持部２１と第２支持片１２の先端側に備えた第２挟持部２２の間に被挟持物３を図３に示す如くに差し込んで挟持可能にする。
【０００８】
尚、クリップ１０は、第１挟持部２１の横方向（上下方向に直交する方向）に沿う全長に渡る凸部２１Ａを形成し、第２挟持部２２の横方向に沿う全長に渡る凸部２２Ａを形成し、両凸部２１Ａ、２２Ａを微小隙間を介して相対向し、又は両凸部２１Ａ、２２Ａを密着させる。
【０００９】
クリップ１０は、第１支持片１１と第２支持片１２における、第１挟持部２１と第２挟持部２２よりも下端側の部分を、互いに下方向に向けて拡開する、被挟持物３のための差し込み用下ガイド部３１、３２とする（図２、図３）。
【００１０】
クリップ１０は、第１支持片１１と第２支持片１２における、第１挟持部２１と第２挟持部２２の横方向の側部を、互いに横外方に向けて拡開する、被挟持物３のための差し込み用横ガイド部４１、４２とする（図２）。
【００１１】
クリップ１０は、第１支持片１１、第２支持片１２、及び連絡部１３の全体をプラスチックの一体成形体とする。プラスチックとしては、ポリカーボネート、ポリプロピレン、ポリエチレンテレフタレート等を採用できる。但し、第１支持片１１、第２支持片１２、及び連絡部１３の全体をステンレス鋼等の金属にて構成しても良い。
【００１２】
クリップ１０は、第１挟持部２１と第２挟持部２２の一方の少なくとも一部、本実施例では第１挟持部２１の少なくとも一部を第１支持片１１の構成材料よりも摩擦係数の高い材料、例えばゴム系材料にて構成している。本実施例では、第１挟持部２１の横方向に沿う全長の両側部を除く中間部の一部だけをゴム系材料にて構成し、第１支持片１１、第２支持片１２、及び連絡部１３の構成プラスチックにゴム系材料を２色成形したものとしている。
【００１３】
従って、クリップ１０にあっては、被挟持物３を下ガイド部３１、３２（又は横ガイド部４１、４２）から第１挟持部２１と第２挟持部２２の間に差し込むことにて、第１支持片１１と第２支持片１２を連絡部１３への付け根部で弾性曲げ変形させて開き、第１支持片１１と第２支持片１２の弾性復元力を挟持力として、第１挟持部２１の凸部２１Ａと第２挟持部２２の凸部２２Ａの間に被挟持物３を挟持する。
【００１４】
本実施例によれば以下の作用効果を奏する。
(a)クリップ１０は、第１挟持部２１の少なくとも一部をゴム系材料にて構成することにより、被挟持物３の厚みが薄かったり、被挟持物３が低摩擦係数のプラスチックシート、又は低摩擦係数のプラスチック等で表面加工されたシート等からなる場合にも、第１挟持部２１と第２挟持部２２の間に一旦差し込んで挟持した被挟持物３に、第１挟持部２１を構成するゴム系材料の高摩擦力を及ぼす。これにより、クリップ１０は、被挟持物３から抜け落ちることなく、被挟持物３を確実に挟持する。
【００１５】
(b)クリップ１０は、差し込み用下ガイド部３１、３２を備えるから、被挟持物３を該被挟持物３の上から容易に差し込みできる。
【００１６】
(c)クリップ１０は、差し込み用横ガイド部４１、４２を備えるから、被挟持物３を該被挟持物３の側方から容易に差し込みできる。
【００１７】
クリップ１０のサイズは、横方向長さＬを30〜100mm、高さＨを10〜30mm、幅ｔを5〜15mmとする。
【００１８】
第１挟持部２１を構成するゴム材料としては、タイプＡデュロメータ測定機によるゴム硬度を30〜80の範囲内とするものが好適である。
【００１９】
図４のクリップ１０が図１〜図３のクリップ１０と異なる点は、第１挟持部２１の横方向の全長に渡って凹部５１を設け、第１挟持部２１の凹部５１と第２挟持部２２の凸部２２Ａを微小隙間を介して相対向し、又は両凹部５１、凸部２２Ａを密着状態で噛合いさせたものであり、第１挟持部２１の凹部５１と第２挟持部２２の凸部２２Ａの間に被挟持物３をより確実に挟持する。
【００２０】
図５のクリップ１０が図１〜図３のクリップ１０と異なる点は、第１挟持部２１の凸部２１Ａを撤去し、第１挟持部２１の表面を概ね平面状としたことにある。第１挟持部２１の表面と第２挟持部２２の凸部２２Ａを微小隙間を介して、又は密着させ、それらの間に被挟持物３を挟持する。
【００２１】
尚、本発明の実施において、クリップ１０は、第１挟持部２１と第２挟持部２２の両方の少なくとも一部を第１支持片１１と第２支持片１２の構成材料よりも摩擦係数の高い材料からなるものにて構成しても良い。
【図面の簡単な説明】
【００２２】
【図１】図１はクリップの使用例を示す模式図である。
【図２】図２はクリップを示す模式図である。
【図３】図３はクリップへの被挟持物の差し込み過程を示す模式図である。
【図４】図４はクリップの変形例を示す模式図である。
【図５】図５はクリップの変形例を示す模式図である。
【符号の説明】
【００２３】
３  被挟持物
１０  クリップ
１１  第１支持片
１２  第２支持片
１３  連絡部
２１  第１挟持部
２２  第２挟持部
３１、３２  差し込み用下ガイド部
４１、４２  差し込み用横ガイド部
【図１】
2005188697.tif 000003
【図２】
2005188697.tif 000004
【図３】
2005188697.tif 000005
【図４】
2005188697.tif 000006
【図５】
2005188697.tif 000007